(57)【要約】【課題】操作部を引っ張って抜栓する際、破断部を破断するために要する引張力が低減されるキャップを提供する。【解決手段】キャップ本体４が、注出筒部９と、注出筒部９を閉鎖する円錐形状の隔壁部１０とを有し、隔壁部１０は破断部１２で囲まれた除去部１３を有し、除去部１３に操作部１５が設けられ、操作部１５を注出筒部９の軸心方向Ａへ引張ることにより、破断部１２が破断してキャップ本体４から除去部１３が除去され、隔壁部１０に注出孔が形成されるキャップであって、破断部１２よりも外側に薄肉部２６が形成され、操作部１５が注出筒部９の軸心方向Ａへ引張られた場合、操作部１５の引張方向Ａに対する薄肉部２６の外面２６ａの角度Ｃが鈍角から直角に近づくように薄肉部２６が変形する。【選択図】図５
2015151157.tif 000002
【特許請求の範囲】
【請求項１】
容器の口部に取付けられるキャップ本体を有し、
キャップ本体は、注出筒部と、注出筒部を閉鎖する隔壁部とを有し、
隔壁部は、環状に形成された破断部と、破断部で囲まれた除去部とを有し、
除去部に操作部が設けられ、
操作部を注出筒部の軸心方向へ引っ張ることにより、破断部が破断してキャップ本体から除去部が除去され、隔壁部に注出孔が形成されるキャップであって、
隔壁部は容器の内部側を頂点とする円錐形状であり、
隔壁部の破断部よりも外側に変形部が形成され、
変形部は操作部の取付位置から周方向における所定範囲に形成され、
操作部が注出筒部の軸心方向へ引っ張られた場合、操作部の引張方向に対する変形部の外面の角度が鈍角から直角に近づくように変形部が変形することを特徴とするキャップ。
【請求項２】
変形部は除去部の厚さよりも薄い薄肉部であることを特徴とする請求項１記載のキャップ。
【請求項３】
破断部は容器の内部側に開放されたスコアであり、
薄肉部の厚さはスコア形成部分における隔壁部の厚さよりも分厚いことを特徴とする請求項２記載のキャップ。
【請求項４】
スコアと変形部との間に、容器の内部側に突出する突部が形成されていることを特徴とする請求項１から請求項３のいずれか１項に記載のキャップ。
【請求項５】
操作部は、除去部に設けられた支柱と、支柱の先端部に設けられたプルリングとを有し、
変形部は支柱の取付位置から周方向における所定範囲に形成されていることを特徴とする請求項１から請求項４のいずれか１項に記載のキャップ。
【請求項６】
注出筒部の注出口を開閉する蓋を有することを特徴とする請求項１から請求項５のいずれか１項に記載のキャップ。
【発明の詳細な説明】
【技術分野】
【０００１】
本発明は、容器の口部に取付けられるキャップに関する。
【背景技術】
【０００２】
従来、この種のキャップとしては、例えば図１０に示すように、容器１０１の口部に取付けられるキャップ本体１０２と、キャップ本体１０２に開閉自在に設けられた蓋１０３とを有するものがある。キャップ本体１０２は、円筒状の注出筒部１０４と、注出筒部１０４を閉鎖する隔壁部１０５とを有している。
【０００３】
隔壁部１０５は、容器１０１の内部側（下側）を頂点とする円錐形状であり、円環状に形成された破断部１０６と、破断部１０６で囲まれた除去部１０７とを有している。除去部１０７には支柱部１０８とプルリング１０９とが設けられている。プルリング１０９を注出筒部１０４の軸心方向Ａ（上方向）へ引っ張ることにより、破断部１０６が全周にわたり破断してキャップ本体１０２から除去部１０７が除去され、隔壁部１０５に注出孔１１０が形成される。
【０００４】
これによると、未使用状態のキャップ１１１を開封する際、蓋１０３を開き、図１１（ａ）に示すように、指をプルリング１０９に挿入して軸心方向Ａ（上方向）へ引っ張ることにより、破断部１０６が全周にわたり破断し、図１１（ｂ）に示すように、除去部１０７がキャップ本体１０２から除去され、隔壁部１０５に注出孔１１０が形成される。
【０００５】
尚、隔壁部１０５は円錐形状であるため、プルリング１０９と隔壁部１０５との間に広い空間が確保され、抜栓時に指をプルリング１０９に容易に挿入することができる。
尚、上記のようなキャップは例えば下記特許文献１に記載されている。
【先行技術文献】
【特許文献】
【０００６】
【特許文献１】特開２０１１−２０１５９３
【発明の概要】
【発明が解決しようとする課題】
【０００７】
しかしながら上記の従来形式では、抜栓時、図１１（ａ）に示すように、プルリング１０９を軸心方向Ａ（上方向）へ引張力Ｆで引っ張った場合、図１２に示すように、破断部１０６が形成されている箇所において、引張力Ｆは、隔壁部１０５の外面１０５ａに垂直な成分の第１の分力ｆ１と、隔壁部１０５の外面１０５ａに平行な成分の第２の分力ｆ２との、２方向の力に分けられる。このうち、第１の分力ｆ１が破断部１０６をせん断するのに寄与する力である。
【０００８】
ここで、隔壁部１０５は円錐形状であるため、図１１（ａ）に示すように、プルリング１０９の引張方向Ａに対する隔壁部１０５の外面１０５ａの角度Ｂが鈍角（例えば１１０°）になり、これにより、引張力Ｆに対して第１の分力ｆ１が小さくなり、抜栓時、破断部１０６を破断するために大きな引張力Ｆが必要となるという問題がある。
【０００９】
本発明は、操作部を引っ張って抜栓する際、破断部を破断するために要する引張力が低減されるキャップを提供することを目的とする。
【課題を解決するための手段】
【００１０】
上記目的を達成するために、本第１発明は、容器の口部に取付けられるキャップ本体を有し、
キャップ本体は、注出筒部と、注出筒部を閉鎖する隔壁部とを有し、
隔壁部は、環状に形成された破断部と、破断部で囲まれた除去部とを有し、
除去部に操作部が設けられ、
操作部を注出筒部の軸心方向へ引っ張ることにより、破断部が破断してキャップ本体から除去部が除去され、隔壁部に注出孔が形成されるキャップであって、
隔壁部は容器の内部側を頂点とする円錐形状であり、
隔壁部の破断部よりも外側に変形部が形成され、
変形部は操作部の取付位置から周方向における所定範囲に形成され、
操作部が注出筒部の軸心方向へ引っ張られた場合、操作部の引張方向に対する変形部の外面の角度が鈍角から直角に近づくように変形部が変形するものである。
【００１１】
これによると、操作部を注出筒部の軸心方向へ引っ張ることにより、変形部が変形して、操作部の引張方向に対する変形部の外面の角度が鈍角から直角に近づき、この状態で、破断部が破断し、除去部がキャップ本体から除去されて、注出孔が隔壁部に形成される。
【００１２】
この際、上記のように操作部の引張方向に対する変形部の外面の角度が直角に近づいているため、操作部に付与された引張力は変形部の外面に対してほぼ垂直に作用することになり、操作部に付与された引張力の大部分が破断部をせん断するのに寄与する力となる。これにより、破断部を破断するために要する引張力が低減され、除去部を容易にキャップ本体から除去して抜栓することができる。
【００１３】
本第２発明におけるキャップは、変形部は除去部の厚さよりも薄い薄肉部であるものである。
これによると、薄肉部は、強度的に弱いので、注出筒部の軸心方向に変形し易い。従って、操作部を注出筒部の軸心方向へ引っ張ることにより、薄肉部が変形して、操作部の引張方向に対する薄肉部の外面の角度が鈍角から直角に近づき、この状態で、破断部が破断し、除去部がキャップ本体から除去されて、注出孔が隔壁部に形成される。
【００１４】
この際、上記のように操作部の引張方向に対する薄肉部の外面の角度が直角に近づいているため、操作部に付与された引張力は薄肉部の外面に対してほぼ垂直に作用することになり、操作部に付与された引張力の大部分が破断部をせん断するのに寄与する力となる。これにより、破断部を破断するために要する引張力が低減され、除去部を容易にキャップ本体から除去して抜栓することができる。
【００１５】
本第３発明におけるキャップは、破断部は容器の内部側に開放されたスコアであり、
薄肉部の厚さはスコア形成部分における隔壁部の厚さよりも分厚いものである。
これによると、操作部を注出筒部の軸心方向へ引っ張ることにより、薄肉部が変形して、操作部の引張方向に対する薄肉部の外面の角度が鈍角から直角に近づき、この状態で、スコアが破断する。
【００１６】
本第４発明におけるキャップは、スコアと変形部との間に、容器の内部側に突出する突部が形成されているものである。
これによると、操作部を注出筒部の軸心方向へ引っ張って、スコアを破断する際、破断箇所がスコアから変形部に派生するのを防止することができ、確実にスコアのみを破断することができる。
【００１７】
本第５発明におけるキャップは、操作部は、除去部に設けられた支柱と、支柱の先端部に設けられたプルリングとを有し、
変形部は支柱の取付位置から周方向における所定範囲に形成されているものである。
【００１８】
これによると、プルリングを注出筒部の軸心方向へ引っ張ることにより、変形部が変形して、操作部の引張方向に対する変形部の外面の角度が鈍角から直角に近づき、この状態で、破断部が破断する。
【００１９】
本第６発明におけるキャップは、注出筒部の注出口を開閉する蓋を有するものである。
【発明の効果】
【００２０】
以上のように本発明によると、抜栓時、破断部を破断するために要する引張力が低減され、除去部を容易に隔壁部から除去して抜栓することができる。
【図面の簡単な説明】
【００２１】
【図１】本発明の第１の実施の形態におけるキャップの縦断面図である。
【図２】図１におけるＸ−Ｘ矢視図である。
【図３】図２におけるＹ−Ｙ矢視図である。
【図４】図２におけるＺ−Ｚ矢視図である。
【図５】同、キャップの隔壁部がスコア形成箇所から破断される様子を示した図であり、（ａ）はプルリングを引き上げる前の状態、（ｂ）はプルリングを引き上げた状態、（ｃ）はスコア形成箇所が破断した状態を示す。
【図６】同、キャップのプルリングを引き上げた際にスコア形成箇所に作用する力を示す図である。
【図７】同、キャップの縦断面図であり、除去部を除去した状態を示す。
【図８】本発明の第２の実施の形態におけるキャップの縦断面図である。
【図９】図８におけるＸ−Ｘ矢視図である。
【図１０】従来のキャップの縦断面図である。
【図１１】同、キャップの隔壁部が破断部形成箇所から破断される様子を示した図であり、（ａ）はプルリングを引き上げた状態、（ｂ）は破断部形成箇所が破断した状態を示す。
【図１２】同、キャップのプルリングを引き上げた際に破断部形成箇所に作用する力を示す図である。
【発明を実施するための形態】
【００２２】
以下、本発明における実施の形態を、図面を参照して説明する。
（第１の実施の形態）
第１の実施の形態では、図１，図２に示すように、１は容器２に取付けられたキャップであり、キャップ１は、容器２の口部３に取付けられるキャップ本体４と、ヒンジ部５を介してキャップ本体４に設けられた蓋６とを有している。
【００２３】
キャップ本体４は、円筒状の胴部８と、胴部８の先端部から突出して形成された円筒状の注出筒部９と、注出筒部９を閉鎖して容器２の内部側と外部側とを隔てる隔壁部１０とを有している。
【００２４】
胴部８は内筒部８ａと外筒部８ｂとを有し、内筒部８ａと外筒部８ｂとの間には、下方が開放された嵌入部１１が全周にわたり形成されている。容器２の口部３が嵌入部１１に嵌め込まれることで、キャップ本体４が容器２に取付けられる。
【００２５】
隔壁部１０は、容器２の内部側（下側）を頂点とする円錐形状であり、円環状に形成されたスコア１２（破断部の一例）と、スコア１２で囲まれた除去部１３とを有している。尚、スコア１２は容器２の内部側（下向き）に開放された溝である。
【００２６】
除去部１３には操作部１５が設けられ、操作部１５は、除去部１３に設けられた支柱１６と、支柱１６の先端部に設けられたプルリング１７とを有している。
隔壁部１０のスコア１２よりも外側には、除去部１３の厚さＴ１よりも薄い薄肉部２６（変形部の一例）が形成されている。尚、図３，図４に示すように、薄肉部２６の厚さＴ２はスコア形成部分における隔壁部１０の厚さＴ３よりも分厚い。図２に示すように、薄肉部２６は、操作部１５の支柱１６の取付位置を中心として、周方向における１８０°の範囲すなわち半周の範囲（所定範囲の一例）に形成されている。尚、図２の斜線部分は、断面を表示しているのではなく、薄肉部２６の形成範囲を表示している。
【００２７】
また、スコア１２と薄肉部２６との間には、容器２の内部側（下向き）に突出する突部２７が形成されている。尚、突部２７も薄肉部２６と同じ範囲に形成されている。
蓋６は、円形の蓋板部２０と、蓋板部２０の周縁に設けられた周壁部２１とを有している。蓋６の内側には円筒状のインナーリング２２が設けられ、蓋６を閉じた際、インナーリング２２が注出筒部９の先端部の注出口２３に挿入され、インナーリング２２の外周面が注出筒部９の内周面に密接する。これにより、注出口２３が閉じられ、容器２内の流動体がインナーリング２２と注出筒部９との間から外部へ漏出することを防止している。
【００２８】
以下、上記構成における作用を説明する。
図１，図２のキャップ１は抜栓をしていない未使用状態を示し、使用する際には、蓋６を開き、指をプルリング１７に挿入して、プルリング１７を注出筒部９の軸心方向Ａ（上方向）へ引っ張る。この際、薄肉部２６は強度的に弱いので軸心方向Ａに変形し易い。従って、図５（ａ）に示すように、プルリング１７を軸心方向Ａへ引っ張ることにより、薄肉部２６が上向きに変形して、プルリング１７の引張方向Ａに対する薄肉部２６の外面２６ａの角度Ｃが図５（ａ）に示した鈍角（例えば１１０°）から図５（ｂ）に示すようにほぼ直角（９０°）に変化し、この状態で、図５（ｃ）に示すようにスコア１２が全周にわたり破断し、除去部１３がキャップ本体４から除去され、図７に示すように、注出孔２９が隔壁部１０に形成される。尚、破断後、隔壁部１０のキャップ本体４側に残存した部分は弾性により元の形状に復元する。
【００２９】
この際、図５（ｂ）に示すように角度Ｃがほぼ直角になるため、図６に示すように、プルリング１７に付与された引張力Ｆは薄肉部２６の外面２６ａに対してほぼ垂直に作用することになり、引張力Ｆの大部分（ほぼ全部）がスコア１２をせん断するのに寄与する力となる。これにより、スコア１２を破断するために要する引張力Ｆが低減され、除去部１３を容易にキャップ本体４から除去して抜栓することができる。
【００３０】
また、突部２７を形成したことにより、上記のようにしてスコア１２を破断する際、破断箇所がスコア１２から薄肉部２６に派生するのを防止することができ、確実にスコア１２のみを破断することができる。
【００３１】
尚、薄肉部２６の外面２６ａとは、容器２の外部側に向いた面であり、操作部１５が設けられている側の面である。
また、下記表１は、複数のキャップ１について、除去部１３をキャップ本体４から除去して抜栓するのに要する引張力Ｆ（抜栓力）の値を示している。隔壁部１０に薄肉部２６を形成したキャップ１は、薄肉部２６を形成していないものと比べて、上記引張力Ｆが低減されている。
【００３２】
【表１】
2015151157.tif 000003
【００３３】
（第２の実施の形態）
第２の実施の形態では、図８，図９に示すように、薄肉部２６は、操作部１５の支柱１６の位置を中心として、周方向における３６０°の範囲すなわち全周の範囲（所定範囲の一例）に形成されている。尚、図９の斜線部分は、断面を表示しているのではなく、薄肉部２６の形成範囲を表示している。
【００３４】
これによると、上記第１の実施の形態と同様の作用および効果が得られる。
上記各実施の形態では、図５（ｂ）に示すように、プルリング１７を軸心方向Ａへ引っ張った際、薄肉部２６が上向きに変形して、プルリング１７の引張方向Ａに対する薄肉部２６の外面２６ａの角度Ｃがほぼ９０°に変化し、この状態で、図５（ｃ）に示すようにスコア１２が破断するように構成しているが、角度Ｃが８０°〜１００°の範囲内に変化した状態でスコア１２が破断するように構成してもよく、或いは、角度Ｃが９０°に変化した状態でスコア１２が破断するように構成してもよい。
【００３５】
上記各実施の形態では、図２，図９に示すように、スコア１２は、隔壁部１０に円環状に形成されているとともに、操作部１５の支柱１６の取付部分とその１８０°反対側の部分とが径方向外向きに尖った形状を有している。しかしながらこのような形状に限定されるものではなく、例えば、スコア１２を真円形状に形成してもよい。
【００３６】
上記各実施の形態では、図１，図８に示すように、ヒンジ部５を介して開閉自在な蓋６を有するタイプのキャップ１を示したが、ねじ込み式の開閉自在な蓋６を有するキャップであってもよい。
【符号の説明】
【００３７】
１      キャップ
２      容器
３      口部
４      キャップ本体
６      蓋
９      注出筒部
１０    隔壁部
１２    スコア（破断部）
１３    除去部
１５    操作部
１６    支柱
１７    プルリング
２３    注出口
２６    薄肉部（変形部）
２６ａ  薄肉部の外面
２７    突部
２９    注出孔
Ａ      軸心方向，引張方向
Ｃ      角度
Ｔ１    除去部の厚さ
Ｔ２    薄肉部の厚さ
Ｔ３    スコア形成部分における隔壁部の厚さ
【図１】
2015151157.tif 000004
【図２】
2015151157.tif 000005
【図３】
2015151157.tif 000006
【図４】
2015151157.tif 000007
【図５】
2015151157.tif 000008
【図６】
2015151157.tif 000009
【図７】
2015151157.tif 000010
【図８】
2015151157.tif 000011
【図９】
2015151157.tif 000012
【図１０】
2015151157.tif 000013
【図１１】
2015151157.tif 000014
【図１２】
2015151157.tif 000015